(57)【要約】【課題】手軽に書籍情報を取得することができると共に、取得した書籍情報から容易にインターネットショッピングが可能となる書籍購入サポートシステムを提供する。【解決手段】書籍情報ＤＢ２１１及びユーザー情報ＤＢ２１２を備えた書籍管理サーバー２００が、携帯電話やパソコン等の利用者端末４００と通信自在に接続され、書籍管理サーバー２００から利用者端末４００へ書籍購入のための書籍情報を提供する書籍購入サポートシステムであって、書籍管理サーバー２００は、書籍５００に付属するＱＲコード等を介した利用者端末４００からのリクエスト情報に基づき、ユーザー情報ＤＢ２１２に予め登録された抽出条件によって、書籍情報及び／又は書籍に関連する関連書籍情報を書籍情報ＤＢ２１１から検索し抽出する検索処理部２０１と、抽出した書籍情報及び／又は関連書籍情報を利用者端末４００に送信するメール配信処理部２０２とを備えている。【選択図】図１
2007323169.tif 000002
【特許請求の範囲】
【請求項１】
書籍情報ＤＢ及びユーザー情報ＤＢを備えた書籍管理サーバーが、利用者端末と通信自在に接続され、前記書籍管理サーバーから前記利用者端末へ書籍購入のための書籍情報を提供する書籍購入サポートシステムであって、
前記書籍管理サーバーは、書籍に付属するリンク情報を介した利用者端末からのリクエスト情報に基づき、前記ユーザー情報ＤＢに予め登録された抽出条件によって、前記書籍情報ＤＢから書籍のレビュー情報及び前記書籍を特徴付ける画像等の書籍情報及び／又は同一分野書籍リスト等の前記書籍に関連する関連書籍情報を検索し抽出する手段と、
抽出した前記書籍情報及び／又は関連書籍情報を利用者端末に送信する手段とを備えることを特徴とする書籍購入サポートシステム。
【請求項２】
前記書籍管理サーバーは、更に、抽出した書籍情報及び／又は関連書籍情報を予め指定された他の利用者端末に送信する手段を備えることを特徴とする請求項１記載の書籍購入サポートシステム。
【請求項３】
前記書籍管理サーバーは、更に、利用者端末からのリクエストに基づき、書籍情報に関するチャットルームを検索又は作成する手段を備えることを特徴とする請求項１又は２記載の書籍購入サポートシステム。
【請求項４】
前記書籍管理サーバーは、更に、利用者端末が、書籍のリンク情報、又は、ブックマーク等のリンク情報を介して取得した書籍情報を、閲覧書籍情報としてユーザー情報ＤＢに保管する手段と、
前記閲覧書籍情報に基づき、推薦する書籍情報としてのおすすめ書籍情報を配信する手段とを備えることを特徴とする請求項１乃至３のうちいずれか一に記載の書籍購入サポートシステム。
【請求項５】
前記書籍管理サーバーは、更に、利用者端末からのリクエストに基づき、利用者端末に外部ショッピングサイトのアドレスを送信する手段と、
利用者が購入した書籍情報を外部ショッピングサイトから受信し、購入書籍情報としてユーザーＤＢに保管する手段と、
購入書籍情報に基づき、前記ユーザー情報ＤＢのユーザーテーブルにポイントを付加する手段と、
購入書籍情報に基づき推薦する書籍情報としてのおすすめ書籍情報を配信する手段とを備えることを特徴とする請求項１乃至４のいずれか一に記載の書籍購入サポートシステム。
【請求項６】
前記書籍管理サーバーは、更に、閲覧・購入した書籍に関するレビュー情報の投稿を前記利用者端末から受信し、書籍情報ＤＢに保管する手段と、
受信したレビュー情報の投稿回数に応じて前記ユーザー情報ＤＢのユーザーテーブルにポイントを付加する手段とを備えることを特徴とする請求項１乃至５のいずれか一に記載の書籍購入サポートシステム。
【発明の詳細な説明】
【技術分野】
【０００１】
本発明は、携帯電話やパソコン等を介して手軽に書籍情報を取得することができると共に、取得した書籍情報から容易にインターネットショッピングが可能となる書籍購入サポートシステムに関する。
【背景技術】
【０００２】
インターネットショッピングの普及により、手軽に書籍の購入を行うことが可能となっている。しかし、依然として実際に書店で書籍内容を吟味し購入する機会は多い。また、インターネットや雑誌等により、事前に書籍の情報を入手することは可能であるが、実際には書店で購入を迷う場合も少なくない。
【０００３】
書店等や、外出先で書籍情報を入手する方法としては、実際に書店等で書籍を閲覧する他にパソコンからの無線／モバイル接続によるインターネット検索、携帯電話からのiモード(登録商標)による情報検索やＱＲコード（登録商標）等による関連情報の取得、他者との電話相談等がある。
なお、本発明に関連する公知技術文献としては下記の特許文献１がある。
【特許文献１】特開２００５−９２６６２号公報
【発明の開示】
【発明が解決しようとする課題】
【０００４】
パソコンや携帯電話により、書籍情報を検索することは可能であるが、パソコンは常時携帯するには大きく、携帯端末は操作性が低いため、外出先等で目的の情報に到達するためには、手間がかかる事が多い。このため、一部の情報で書籍を評価し購入した結果、期待通りの満足度が得られない場合がある。
又、その他にも、事前にパソコンで検索した内容を再度閲覧したい場合や、一度自宅に帰り再度インターネットによる情報検索を行った後、書籍を購入するといった場合があり、そのような場合にも利便性のあるシステムが望まれている。
【０００５】
以上の現状に鑑み、本発明は、手軽に書籍情報を取得することができると共に、取得した書籍情報を再度閲覧可能であり、且つ、取得した書籍情報から容易にインターネットショッピングが可能となる書籍購入サポートシステムを提供することを目的とする。
【課題を解決するための手段】
【０００６】
上記の課題を解決すべく、本発明は以下の構成を提供する。
請求項１に係る発明は、書籍情報ＤＢ及びユーザー情報ＤＢを備えた書籍管理サーバーが、利用者端末と通信自在に接続され、前記書籍管理サーバーから前記利用者端末へ書籍購入のための書籍情報を提供する書籍購入サポートシステムであって、
前記書籍管理サーバーは、書籍に付属するリンク情報を介した利用者端末からのリクエスト情報に基づき、前記ユーザー情報ＤＢに予め登録された抽出条件によって、前記書籍情報ＤＢから書籍のレビュー情報及び前記書籍を特徴付ける画像等の書籍情報及び／又は同一分野書籍リスト等の前記書籍に関連する関連書籍情報を検索し抽出する手段と、
抽出した前記書籍情報及び／又は関連書籍情報を利用者端末に送信する手段とを備えることを特徴とする書籍購入サポートシステムを提供するものである。
【０００７】
請求項２に係る発明は、前記書籍管理サーバーは、更に、抽出した書籍情報及び／又は関連書籍情報を予め指定された他の利用者端末に送信する手段を備えることを特徴とする請求項１記載の書籍購入サポートシステムを提供するものである。
請求項３に係る発明は、前記書籍管理サーバーは、更に、利用者端末からのリクエストに基づき、書籍情報に関するチャットルームを検索又は作成する手段を備えることを特徴とする請求項１又は２記載の書籍購入サポートシステムを提供するものである。
【０００８】
請求項４に係る発明は、前記書籍管理サーバーは、更に、利用者端末が、書籍のリンク情報、又は、ブックマーク等のリンク情報を介して取得した書籍情報を、閲覧書籍情報としてユーザー情報ＤＢに保管する手段と、
前記閲覧書籍情報に基づき、推薦する書籍情報としてのおすすめ書籍情報を配信する手段とを備えることを特徴とする請求項１乃至３のうちいずれか一に記載の書籍購入サポートシステムを提供するものである。
請求項５に係る発明は、前記書籍管理サーバーは、更に、利用者端末からのリクエストに基づき、利用者端末に外部ショッピングサイトのアドレスを送信する手段と、
利用者が購入した書籍情報を外部ショッピングサイトから受信し、購入書籍情報としてユーザーＤＢに保管する手段と、
購入書籍情報に基づき、前記ユーザー情報ＤＢのユーザーテーブルにポイントを付加する手段と、
購入書籍情報に基づき推薦する書籍情報としてのおすすめ書籍情報を配信する手段とを備えることを特徴とする請求項１乃至４のいずれか一に記載の書籍購入サポートシステムを提供するものである。
【０００９】
請求項６に係る発明は、前記書籍管理サーバーは、更に、閲覧・購入した書籍に関するレビュー情報の投稿を前記利用者端末から受信し、書籍情報ＤＢに保管する手段と、
受信したレビュー情報の投稿回数に応じて前記ユーザー情報ＤＢのユーザーテーブルにポイントを付加する手段とを備えることを特徴とする請求項１乃至５のいずれか一に記載の書籍購入サポートシステムを提供するものである。
【発明の効果】
【００１０】
本発明の請求項１記載の発明によれば、携帯電話やパソコン等の利用者端末によって、手軽に書籍のレビュー情報及び前記書籍を特徴付ける画像等の書籍情報及び同一分野書籍リスト等の前記書籍に関連する関連書籍情報を取得することができると共に、閲覧した情報から容易にインターネットショッピングが可能となる書籍購入サポートシステムを提供することができる。
又、前記書籍購入サポートシステムに於いては、ユーザー情報ＤＢに抽出条件が予め登録されているので、取得したい情報を入手するまでの手間と時間を軽減することが出来る。
請求項２記載の発明によれば、請求項１記載の発明の効果に加え、予め指定された他の利用者端末の利用者に書籍情報及び／又は関連書籍情報を情報提供することができる。
【００１１】
請求項３記載の発明によれば、請求項１又は２記載の発明の効果に加え、チャットルームによって書籍情報に関する意見交換が可能になる。
請求項４記載の発明によれば、請求項１乃至３のうちいずれか一に記載の発明の効果に加え、蓄積された利用者の閲覧書籍情報に基づき、いつでも利用者が書籍情報を閲覧可能になると共に、閲覧書籍情報に基づき、書籍管理サーバーからおすすめ書籍情報を配信することができる。
【００１２】
請求項５記載の発明によれば、請求項１乃至４のいずれか一に記載の発明の効果に加え、利用者端末に外部ショッピングサイトのアドレスを送信することにより、利用者の外部ショッピングサイトによるショッピングを可能とし、ポイントを付加する手段によって、購入書籍情報に基づき、ポイントを付加することができると共に、おすすめ書籍情報を配信することができる。
【００１３】
請求項６記載の発明によれば、請求項１乃至５のいずれか一に記載の発明の効果に加え、レビュー情報の投稿を書籍情報ＤＢに蓄積することができると共に、投稿回数に応じてポイントを付加することができ、ポイントを付加することによって、レビュー情報の投稿を促進することができる。
【発明を実施するための最良の形態】
【００１４】
以下、実施例を示した図面を参照しつつ本発明の実施の形態を説明する。
図１は、本発明の実施の形態の一例を示す書籍購入サポートシステムの構成図である。
本書籍購入サポートシステムは、書籍５００、携帯電話、パソコン等の利用者端末４００、パケット通信網及びインターネット等のネットワーク１００、書籍管理サーバー２００、外部ショッピングサイト３００からなる。
【００１５】
利用者端末４００は、画像読み取り装置（カメラ等）によって書籍５００に記載されたＱＲコード（登録商標）等のリンク情報を読取り、ネットワーク１００を介して、書籍管理サーバー２００にアクセスする。書籍管理サーバー２００は書籍情報ＤＢ（データベース）２１１より書籍のレビュー情報及び前記書籍を特徴付ける画像等の書籍情報及び／又は同一分野書籍リスト等の前記書籍に関連する関連書籍情報を検索して抽出し、利用者端末４００に送信する。また利用者端末４００からは、書籍のリンク情報からだけでなく、ブックマークや検索サイトよりネットワーク１００を介して書籍管理サーバー２００にアクセスを行うことも可能である。
【００１６】
書籍管理サーバー２００は、検索処理部２０１、メール配信処理部２０２、チャット処理部２０３、ショッピング処理部２０４、レビュー投稿処理部２０５、ユーザー設定処理部２０６を備えている。
検索処理部２０１は、ユーザーが指定した条件で書籍情報ＤＢ２１１から書籍情報及び／又は関連書籍情報を取得する時に使用する。メール配信処理部２０２では、取得した書籍情報を他者に送信する時、チャットの開始お知らせ時、又は、推薦する書籍情報としてのおすすめ書籍情報を配信する時に使用する。チャット処理部２０３では、ユーザー間で書籍情報に関する意見交換をする場を提供する。ショッピング処理部２０４では、取得した書籍情報から外部ショッピングサイト３００に接続し、購入を仲介する場合に使用する。レビュー投稿処理部２０５は、ユーザーからレビュー投稿を受け付けるときに使用する。ユーザー設定処理部２０６では、ユーザー情報ＤＢ２１２に格納されるユーザー情報の更新・設定に使用する。
書籍管理サーバー２００は書籍の書籍名等の各種情報を格納する書籍情報ＤＢ２１１とユーザーＩＤ、メールアドレス等のユーザー個人情報を格納するユーザー情報ＤＢ２１２を備えている。
【００１７】
図２は書籍情報ＤＢ２１１の構成の一例を示したものである。
書籍テーブル２１１Ａは、書籍の基本情報を格納するテーブルであって、図に示すように、書籍を特定する「書籍ＩＤ」、その名称である「書籍名」、その著者を示す「著者名」、その分野を示す「分野名」、その出版社名を示す「出版社名」、その書籍内容の概要を説明する「概要」、その書籍の販売価格を示す「定価」、その書籍の出版日を示す「出版日」、その書籍の販売部数を示す「売上」、関連する書籍情報ページの「ＵＲＬ」から構成される。
【００１８】
画像テーブル２１１Ｂは、その書籍を特徴付ける画像へのＵＲＬを格納するテーブルであって、その画像を特定する「画像Ｎｏ」、その画像と関連する書籍を示す「書籍ＩＤ」、画像格納場所へのリンク先を示す「ＵＲＬ」から構成される。
格納される画像としては、書籍の表紙、風景、挿絵等があげられる。この画像情報により、書籍テーブル２１１に格納する概要などの文章より直感的にその書籍の特徴を把握することが出来る。
レビューテーブル２１１Ｃは、書籍を特定する「書籍ＩＤ」、投稿したユーザーを示す「ユーザーＩＤ」、そのユーザーの評価点（５段階評価）である「評価」、書籍の感想等を格納する「評価コメント」から構成される。
【００１９】
ショッピングサイトテーブル２１１Ｄは、外部ショッピングサイト３００を特定する「サイトＩＤ」、そのサイトで扱っている書籍を示す「書籍ＩＤ」、その書籍の「販売価格」、ショッピングサイトへのリンク先を示す「ＵＲＬ」から構成される。
書籍テーブル２１１Ａ、画像テーブル２１１Ｂに格納する書籍情報は、図示しない情報提供者により登録されるものとする。情報提供者としては、出版社、その書籍の著者等があげられる。レビューテーブル２１１Ｃは、本システムのユーザーの投稿により、登録される。ショッピングサイトテーブル２１１Ｄは外部ショッピングサイト３００より登録される。
【００２０】
図３はユーザー情報ＤＢ２１２の構成の一例を示したものである。ユーザー情報ＤＢ２１２に格納する情報は、本システムで登録する。
ユーザーテーブル２１２Ａは、ユーザーを特定する「ユーザーＩＤ」、そのユーザーの「パスワード」、レビュー投稿時やチャット機能で使用する「ハンドルネーム」、そのユーザーの「メールアドレス」、書籍のリンク情報を読み取り書籍情報を取得する際に、レビュー情報、書籍を特徴付ける画像等、何を表示するかを指定する「表示設定」、推薦する書籍情報としてのおすすめ書籍情報やチャットルーム開設情報などを知らせるメールの配信可否を設定する「配信メール設定」、ユーザーのレビュー投稿時や書籍購入時に付加し、懸賞サービスやショッピングの際の購入代金として使用することが出来るユーザーの現在の「ポイント」から構成される。
履歴テーブル２１２Ｂは、ユーザーを特定する「ユーザーＩＤ」、そのユーザーが閲覧・購入した書籍を特定する「書籍ＩＤ」、書籍の情報を閲覧した日付を設定する「閲覧日付」、書籍を購入した場合にその日付を設定する「購入日付」から構成される。
【００２１】
以下、以上のように構成された書籍購入サポートシステムの動作を説明する。
図４は、書籍５００よりリンク情報を取得し、その書籍の関連情報を取得するフローチャートである。利用者端末４００としての携帯電話に設置されたカメラ等より、書籍の記載されているＱＲコード等のリンク情報を読み取り、書籍管理サーバー２００へ書籍情報を要求する（Ｓ４０１）。
書籍管理サーバー２００では、ユーザーテーブル２１２Ａの表示設定を読み取り（Ｓ４０２）、表示設定済みの場合、その設定条件により書籍情報ＤＢ２１１から書籍情報を取得し（Ｓ４０４）、利用者端末４００へ書籍情報を送信する（Ｓ４０５）。書籍の表示条件が未設定であった場合、書籍管理サーバー２００は既定情報としてその書籍のレビュー情報を書籍情報ＤＢ２１１より検索し、抽出することによって取得し（Ｓ４０３）、利用者端末４００へ送信する（Ｓ４０５）。この時、そのユーザーの２１２Ｂの閲覧日付も合わせて設定する（Ｓ４０６）。
【００２２】
その後、ユーザーは利用者端末４００から必要に応じて機能選択を行う（Ｓ４０７）。選択機能は、異なる情報を要求する「書籍情報検索」機能（Ｓ４０７Ａ）、取得した書籍情報が記載されたＵＲＬを指定したメールアドレスへ送信する「メール送信」機能（Ｓ４０７Ｂ）、取得した書籍情報に基づいて意見交換を行う「チャット」機能（Ｓ４０７Ｃ）、その書籍を購入する「ショッピング」機能（Ｓ４０７Ｄ）、その書籍のレビュー情報を投稿する「レビュー投稿」機能（Ｓ４０７Ｅ）、ユーザー情報設定の登録・変更を行う「ユーザー設定」機能（Ｓ４０７Ｆ）から構成される。
【００２３】
図１２は携帯電話に書籍のレビュー情報を表示する画面の１例である。先頭に書籍名およびレビューテーブル２１１Ｃに登録されているすべてのユーザー評価の平均値を総合評価として表示する。その下に各ユーザーの評価とコメントを順番に表示する。登録されている情報が多くて表示しきれない場合、下の「次へ，１，２，３」といったリンクを選択することで表示する。
【００２４】
図１３は機能選択画面を示す１例である。図４のステップＳ４０７の機能選択に対応し、異なる情報を要求する「書籍情報検索」機能（Ｓ４０７Ａ）、取得した書籍情報が記載されたＵＲＬを指定したメールアドレスへ送信する「メール送信」機能（Ｓ４０７Ｂ）、取得した書籍情報に基づいて意見交換を行う「チャット」機能（Ｓ４０７Ｃ）、その書籍を購入する「ショッピング」機能（Ｓ４０７Ｄ）、その書籍のレビュー情報を投稿する「レビュー投稿」機能（Ｓ４０７Ｅ）、ユーザー情報設定の登録・変更を行う「ユーザー設定」機能（Ｓ４０７Ｆ）を表示する。
【００２５】
図５は「書籍情報検索」機能に関するフローチャートである。利用者端末４００から書籍情報検索要求を書籍管理サーバー２００に送信する（Ｓ５０１）。書籍管理サーバー２００は、その書籍の書籍情報ＤＢ２１１に設定されている概要やレビュー、画像、または同一分野の書籍やショッピングサイトの価格情報等の取得したい書籍情報を書籍検索条件として指定するように要求する（Ｓ５０２）。
ユーザーは利用者端末４００から書籍検索条件を指定し書籍管理サーバー２００に送信する（Ｓ５０３）。書籍管理サーバー２００では、ユーザーが指定した検索条件で書籍情報ＤＢ２１１より書籍情報を取得し（Ｓ５０４）、利用者端末４００へ送信する（Ｓ５０５）と同時に、そのユーザーの履歴テーブル２１２Ｂの閲覧日付も合わせて設定する（Ｓ５０６）。その後、ユーザーは必要に応じて「機能選択」（図４に於いてステップＳ４０７）を行う。
【００２６】
図１４は書籍検索条件指定画面の１例である。検索メニューとしては、概要、画像、レビューといったその書籍そのものの情報を検索する検索書籍情報検索メニューと、類似する分野の書籍リストを検索する類似本検索、価格を検索して、価格比較リストを作成する価格比較リスト検索、その書籍を購入したユーザーが他に購入した書籍を表示する購入者類似検索から成る関連書籍情報検索メニューとに分かれる。関連書籍情報の検索メニューでは、売上順、出版日順、書籍名順にソートし表示することが出来る。
【００２７】
図６は取得した書籍情報及び／又は関連書籍情報を他者へメールで送信する「メール送信」機能に関するフローチャートである。利用者端末４００からメール送信要求を選択し、書籍管理サーバー２００へ送信する（Ｓ６０１）。書籍管理サーバー２００は、送信するメール宛先を要求する（Ｓ６０２）。ユーザーは利用者端末４００からメール宛先と共にメール配信者へのコメントを記入し、書籍管理サーバー２００へ送信する（Ｓ６０３）。書籍管理サーバー２００は、ユーザーが指定したあて先にコメントと書籍情報及び／又は関連書籍情報が閲覧出来るＵＲＬを記載し送信する（Ｓ６０４）。その後もユーザーは利用者端末４００から必要に応じて「機能選択」（図４に於いてステップＳ４０７）を行う。
【００２８】
図７は取得した書籍情報に基づいて意見交換を行う「チャット」機能に関するフローチャートである。ユーザーは、利用者端末４００からチャット要求を選択し、書籍管理サーバー２００へ送信する（Ｓ７０１）。書籍管理サーバー２００は、指定した分野の既存チャットルームを検索し（Ｓ７０２）、すでにチャットルームが存在する場合、そのチャットルームアドレスをユーザーに送信する（Ｓ７０３）。チャットルームが存在しない場合、新規にチャットルームを開設する（Ｓ７０４）。開設した旨をチャット要求元のユーザーとユーザーテーブル２１２Ａのメール配信設定が有効になっている他のユーザーにも通知する（Ｓ７０５）。その後チャットルームにユーザーが集まり次第チャット開始となる（Ｓ７０６）。チャット終了後、ユーザーは必要に応じて「機能選択」（図４に於いてステップＳ４０７）を行う。
図１５はチャット画面を示す１例である。上部に書籍名を表示し、ユーザーごとに発言を行う。図はＡＡＡＡ、ＢＢＢ、ＣＣＣの三者によるチャットイメージである。
【００２９】
図８は「ショッピング」機能に関するフローチャートである。ユーザーは、利用者端末４００から「ショッピング」機能を選択し、書籍管理サーバー２００へ送信する（Ｓ８０１）。書籍管理サーバー２００は、その本を扱っている外部ショッピングサイト３００に連絡する（Ｓ８０２）と共に利用者端末４００に外部ショッピングサイトのアドレスを送信する（Ｓ８０３）。ユーザーは、利用者端末４００からショッピングリストを選択し、外部ショッピングサイト３００にアクセスしショッピングを行う（Ｓ８０４）。書籍購入時、外部ショッピングサイト３００から購入結果の連絡を受信した場合（Ｓ８０５）、ユーザーテーブル２１２Ａのポイントをユーザーに付与する（Ｓ８０６）とともに履歴テーブル２１２Ｂの購入日付を設定する。前記処理において、書籍管理サーバー運営者は外部ショッピングサイト３００より仲介手数料と購入時手数料を受け取る。なお、外部ショッピングサイト３００は既存のサイトを利用することにする。ポイント使用時は、ステップＳ８０２の処理において書籍管理サーバー２００から外部ショッピングサイト３００にポイント情報をあわせて送信し、ステップＳ８０６の処理において使用ポイント分、ユーザーテーブル２１２Ａのポイントから減少させる。
【００３０】
図９は「レビュー投稿」機能に関するフローチャートである。ユーザーは、利用者端末４００から「レビュー投稿」機能を選択し、書籍管理サーバー２００へ送信する（Ｓ９０１）。書籍管理サーバー２００は、ユーザー認証を行い（Ｓ９０２）、ユーザー認証が正しく行なわれた場合、利用者端末４００へレビュー投稿フォーマットを送信してレビュー情報としてのレビュー評価とコメントをユーザーに要求する（Ｓ９０３）。ユーザーは、レビュー評価とコメントを記入し利用者端末４００から書籍管理サーバー２００へ送信する（Ｓ９０４）。書籍管理サーバー２００は、レビュー評価とコメントを受信すると書籍情報ＤＢ２１１のレビューテーブル２１１Ｃを更新し（Ｓ９０５）、ユーザーテーブル２１２Ａのポイントを付加し更新する（Ｓ８０６）。ポイントを使用しない場合、レビュー回数に応じて、ポイントが増加していくことになる。
【００３１】
図１０はユーザーの個別設定を行う「表示設定」機能に関するフローチャートである。ユーザーは、利用者端末４００から「ユーザー設定変更」機能を選択し、書籍管理サーバー２００へ送信する（Ｓ１００１）。書籍管理サーバー２００は、ユーザー認証を行い（Ｓ１００２）、ユーザー認証が正しく行なわれた場合、ユーザーの設定情報を読み込み（Ｓ１００３）、ユーザーテーブル２１２Ａの情報をユーザーに送信する（Ｓ１００４）。ユーザーは設定変更項目情報（ユーザーテーブル２１２ＡのユーザーＩＤとポイント以外の項目）から更新・設定したい項目を選択して変更し、書籍管理サーバー２００へ送信する（Ｓ１００５）。書籍管理サーバー２００は、変更情報を受信するとユーザーテーブルの更新処理を行う（Ｓ１００６）。ユーザー設定処理において、ユーザー未登録の場合、ユーザー登録処理を行う。ユーザー登録処理では、ユーザーＩＤを付与するとともに、ユーザーテーブル２１２Ａの情報を設定する。
【００３２】
図１６はユーザー設定メニュー画面を示す１例である。ユーザーはユーザーテーブル２１２Ａを更新するためのパスワード変更、ハンドルネーム変更、Ｅメールアドレス変更、表示設定変更、メール配信設定と、閲覧した書籍を一覧表示する閲覧履歴、購入した書籍を一覧表示する購入履歴、現在のポイントを参照するポイント参照、懸賞に応募することが出来る懸賞応募から選択する。なお閲覧履歴、購入履歴の表示された一覧リストから書籍を選択することで図４に示した（ステップＳ４０１の処理のリンク情報を履歴から読み込む）書籍情報検索を行うことが出来る。懸賞は外部ショッピングサイト３００等から書籍等を景品として用意し、ポイントを使用して応募する。
【００３３】
図１１はおすすめメール配信メールの一例を示すフローチャートである。外部ショッピングサイト３００はおすすめ書籍配信依頼を書籍管理サーバー２００に送信する（Ｓ１１０１）。書籍管理サーバー２００は、ユーザー情報ＤＢ２１２よりユーザー情報を読み込み、配信メール設定が「配信する」になっており、かつ、同分野の書籍を閲覧・購入した人といった外部ショッピングサイト３００より指定された条件に該当するユーザーを抽出する（Ｓ１１０２）。その後、抽出したユーザーの利用者端末４００にメールを送信する（Ｓ１１０３）。
【図面の簡単な説明】
【００３４】
【図１】本発明による書籍購入サポートシステムを概略的に示す構成図である。
【図２】本発明による書籍情報データベースに格納されているデータの構成図である。
【図３】本発明によるユーザー情報データベースに格納されているデータの構成図である。
【図４】本発明による書籍購入サポートシステムに於いて、書籍から書籍情報を取得する処理を示すフローチャートである。
【図５】本発明による書籍購入サポートシステムに於いて、書籍情報検索機能の概要を示すフローチャートである。
【図６】本発明による書籍購入サポートシステムに於いて、取得した書籍情報のメール配信機能の概要を示すフローチャートである。
【図７】本発明による書籍購入サポートシステムに於いて、チャット機能の概要を示すフローチャートである。
【図８】本発明による書籍購入サポートシステムに於いて、ショッピング機能の概要を示すフローチャートである。
【図９】本発明による書籍購入サポートシステムに於いて、レビュー投稿機能の概要を示すフローチャートである。
【図１０】本発明による書籍購入サポートシステムに於いて、ユーザー設定機能の概要を示すフローチャートである。
【図１１】本発明による書籍購入サポートシステムに於いて、おすすめ書籍メール配信機能の概要を示すフローチャートである。
【図１２】本発明による書籍購入サポートシステムに於いて、書籍のレビュー情報を表示する説明図である。
【図１３】本発明による書籍購入サポートシステムに於いて、機能選択画面を表示する説明図である。
【図１４】本発明による書籍購入サポートシステムに於いて、書籍検索メニューを表示する説明図である。
【図１５】本発明による書籍購入サポートシステムに於いて、チャットルームを表示する説明図である。
【図１６】本発明による書籍購入サポートシステムに於いて、ユーザー設定メニューを表示する説明図である。
【符号の説明】
【００３５】
２００  書籍管理サーバー
２１１  書籍情報ＤＢ
２１２  ユーザー情報ＤＢ
２１２Ａ  ユーザーテーブル
３００  外部ショッピングサイト
４００  利用者端末
５００  書籍
【図１】
2007323169.tif 000003
【図２】
2007323169.tif 000004
【図３】
2007323169.tif 000005
【図４】
2007323169.tif 000006
【図５】
2007323169.tif 000007
【図６】
2007323169.tif 000008
【図７】
2007323169.tif 000009
【図８】
2007323169.tif 000010
【図９】
2007323169.tif 000011
【図１０】
2007323169.tif 000012
【図１１】
2007323169.tif 000013
【図１２】
2007323169.tif 000014
【図１３】
2007323169.tif 000015
【図１４】
2007323169.tif 000016
【図１５】
2007323169.tif 000017
【図１６】
2007323169.tif 000018